(57)【要約】【課題】  本発明は、放熱時に撮影者に対して不快感を与えず、かつ外部からの異物の侵入に対する信頼性を有する放熱構造を持つ電子機器を提案することを目的としている。【解決手段】  内部に発熱部を有する電子機器であって、伝熱部材と、前記電子機器を正位置で用いたときに、機器の上側の外観面を覆う第１の外装部材と、前記第１の外装部材のさらに外側を覆う第２の外装部材と、前記第１の外装部材は前記発熱部または前記伝熱部材の少なくとも何れかの上側を覆うとともに、前記発熱部または前記伝熱部材の上側に開口部を有し、前記第２の外装部材は、前記開口部の上側を覆うことを特徴とする電子機器。【選択図】  図３
2014109663.tif 000002
【特許請求の範囲】
【請求項１】
内部に発熱部を有する電子機器であって、
伝熱部材と、
前記電子機器を正位置で用いたときに、機器の上側の外観面を覆う第１の外装部材と、
前記第１の外装部材のさらに外側を覆う第２の外装部材と、
前記第１の外装部材は前記発熱部または前記伝熱部材の少なくとも何れかの上側を覆うとともに、前記発熱部または前記伝熱部材の上側に開口部を有し、
前記第２の外装部材は、前記開口部の上側を覆うことを特徴とする電子機器。
【請求項２】
前記第２の外装部材は、一辺を解放した三辺が連なる防熱部を内側に前記開口部を取り囲む形で有し、前記防熱部の放熱部は、前記第２の外装部材の前側と後ろ側の少なくとも何れかであることを特徴とする請求項１に記載の電子機器。
【請求項３】
前記開口部は、周囲を突出部で囲まれていることを特徴とする請求項１または２に記載の電子機器。
【請求項４】
前記第１および第２の外装部材の当接部は、互いに有する斜面同士によって構成されていることを特徴とする請求項１ないし３の何れか１項に記載の電子機器。
【請求項５】
前記第２の外装部材は、前記第１の外装部材に対して上側に突出していることを特徴とする請求項１ないし４の何れか１項に記載の電子機器。
【発明の詳細な説明】
【技術分野】
【０００１】
本発明は、ビデオカメラやデジタルスチルカメラなどの電子機器における機器外部への放熱構造に関するものである。
【背景技術】
【０００２】
近年、電子機器においてはより一層の多機能化が進み、機器の消費電力は増加傾向にあり、発する熱を機器外部に放熱して電子機器の安定動作を図る必要がある。
【０００３】
一方で、携帯性の向上のため機器本体の大きさは年々小型化が進んでおり、放熱に用いる事ができる表面積は縮小傾向にある。そのため、電子機器においては今まで以上に効率的に放熱を行うことが重要になってきている。
【０００４】
そこで、従来の電子機器では、発熱体の近傍に熱伝導率の高い放熱板を配置し、この放熱板の外側に外部空間と連通する放熱通路を設けて外観カバーで放熱板を覆うものが提案されている。
【先行技術文献】
【特許文献】
【０００５】
【特許文献１】特開２００６−２５３１９６
【発明の概要】
【発明が解決しようとする課題】
【０００６】
しかしながら、特許文献１によって示された従来の技術では、放熱通路の開口部が手で把持するグリップ部の内側に設けられている。そのため、放熱された熱い空気が撮影者の手に当たる事となり、撮影者に不快感を与えてしまうという問題がある。また、放熱板と外観カバーの間に放熱通路を設けているだけなので、外側からの水などの異物が放熱通路に侵入してきた場合、電子機器内部まで入ってしまうという問題もある。
【０００７】
そこで本発明は、上記従来技術の問題を解決するためになされたものであり、その目的は、放熱時に撮影者に対して不快感を与えず、かつ外部からの異物の侵入に対する信頼性を有する放熱構造を持つ電子機器を提供することである。
【課題を解決するための手段】
【０００８】
前述の目的を達成するため、本出願に係る発明は、内部に発熱部を有する電子機器であって、伝熱部材と、前記電子機器を正位置で用いたときに、機器の上側の外観面を覆う第１の外装部材と、前記第１の外装部材のさらに外側を覆う第２の外装部材と、前記第１の外装部材は前記発熱部または前記伝熱部材の少なくとも何れかの上側を覆うとともに、前記発熱部または前記伝熱部材の上側に開口部を有し、前記第２の外装部材は、前記開口部の上側を覆うことを特徴とする電子機器。
【発明の効果】
【０００９】
以上説明したように、本発明によれば、放熱時に撮影者に対して不快感を与えず、かつ外部からの異物の侵入に対する信頼性を有する放熱構造を持つ電子機器を提供することが可能となる。
【図面の簡単な説明】
【００１０】
【図１】本発明の実施の形態に係るビデオカメラの構成を示す図
【図２】本発明の実施の形態に係る上側ユニットの構成を示す図
【図３】本発明の実施の形態に係るビデオカメラの放熱構造する図
【図４】本発明の実施の形態に係るビデオカメラの把持と放熱の関係を示す図
【発明を実施するための形態】
【００１１】
以下に本発明の実施の形態に係る電子機器を添付図面に基づいて説明する。
【００１２】
（実施の形態）
＜ビデオカメラの構成説明＞
以下、本発明の実施の形態に係る電子機器の一例としてビデオカメラを用いてを添付図面に基づいて説明する。本明細書において、撮影者から被写体に向かう方向で装置の上下左右とし、光軸方向被写体側を装置の正面（前方）、光軸方向撮像素子側を装置の背面（高法）と定義し説明を行う。最初に、図１を用いて、本実施形態のビデオカメラの構成を説明する。
【００１３】
図１は、本発明の実施の形態に係るビデオカメラ１００の構成を示す図であり、図１（ａ）は、本発明の実施の形態に係るビデオカメラ１００の分解斜視図である。図１（ｂ）は、本発明の実施の形態に係るビデオカメラ１００の縦断面図である。
【００１４】
ビデオカメラ１００の各構成要素について説明を行う。
【００１５】
撮像部１０１は、被写体を撮像するためのレンズや撮像した画像を電気信号に変換するセンサなどを含んでいるユニットであり、被写体に対向するように配置されている。なお、撮像部１０１では画像を作り出すための所定の処理を行った後に、信号をメイン基板１０３上の制御ＩＣ１０６に対して出力する。
【００１６】
放熱板１０２は、熱伝導性の高い金属（例えばアルミ合金や銅合金）の板状部品（伝熱部材）であり、撮像部１０１の上下及び左側を取り囲む形で略コの字形状をしている。メイン基板１０３は、ビデオカメラ１００全体を制御する回路群を有する基板であり、ビデオカメラ１００全体の動きを制御したり、撮像部１０１から送られて来た信号を元に画像を作り出す画像処理等を行う制御ＩＣ１０６等の処理負荷の大きい素子を有している。
【００１７】
また、メイン基板１０３は撮像部１０１の下側に延びる放熱板１０２の下側に配置されている。そして、発熱部としての制御ＩＣ１０６はメイン基板１０３の上側の面に実装されている。制御ＩＣ１０６は、熱伝導性の高い弾性部材１０７を介して放熱板１０２に対して接続されている。この様な構成を採ることにより、メイン基板１０３で発生する熱を放熱板１０２に効率良く放出する事が出来る。
【００１８】
無線ユニット１０４は、ビデオカメラ１００の外部の機器と無線通信を行うためのユニットであり、離れた位置のモニターに転送しリアルタイムの映像を表示したり、データのバックアップを取るために外部記録装置に対して映像データを転送する。無線ユニット１０４は画像データを高速演算し、転送し続ける必要がある。
【００１９】
この無線ユニット１０４は、ビデオカメラ１００内部で撮像部１０１の後方の上側で、放熱板１０２に対して直接固定されている。そのため、発熱部としての無線ユニット１０４で発生した熱を、放熱板１０２に対して効率的に放出する事が可能となっている。上側ユニット１０５は、ビデオカメラ１００の上側外観を覆うカバーユニットであり、構成などの詳細は後述する。また、ビデオカメラ１００は表示部や記録部などビデオカメラとしての機能を果たす為に必要な種々の構成要素を有しているが、構成や機能は本発明の本質にかかわりが少ないため説明を省略する。
【００２０】
＜上側ユニットの構成説明＞
次に図２を用いて上側ユニット１０５の構成を説明する。
【００２１】
図２は上側ユニット１０５の構成を示す図である。図２（ａ）は、上側ユニット１０５の分解斜視図である。図２（ｂ）は、前側の孔１１３の拡大図である。図２（ｃ）は、上側ユニット１０５を後ろ側から見た図である。
【００２２】
上側ユニット１０５は、図２（ａ）に示すように、第１の外装部材としての上側カバー１０８、第２の外装部材としてのデコレーションカバー１０９、ズームユニット１１０、トリガーユニット１１１から構成されている。
【００２３】
次に、上側ユニット１０５の各構成要素について説明を行う。
【００２４】
上側カバー１０８は、ビデオカメラ１００を正位置で用いたときに、ビデオカメラ１００の上側の外観面を構成するカバーである。上側カバー１０８には、外観面よりも一段低い（本体内側に窪んでいる）凹面１１２が、ズームユニット１１０の前後に設けられている。また、前後の凹面１１２にはそれぞれビデオカメラ１００内部に連通する開口部としての孔１１３が存在する。この時、両方の孔１１３共に、図２（ｂ）に示すように孔１１３の周囲を全周取り囲む形で、凹面１１２よりも高い突出部としてのリブ１１４が設けられている。つまりリブ１１４は孔１１３の形状を決定している。
【００２５】
デコレーションカバー１０９は、凹面１１２の上側（さらに外側）を覆い隠す外観カバーである。デコレーションカバー１０９の内側には、一辺を解放とした三辺が連なるコの字形状の防熱部としての防熱壁１１５が前後に２か所設けられている。この時、前側の防熱壁１１５Ａは前側を解放としたコの字形状であり、後ろ側の防熱壁１１５Ｂは後ろ側を解放としたコの字形状である。なお、デコレーションカバー１０９は上側カバー１０８に組み付けた状態では、図２（ｃ）に示すように上側カバー１０８から凸した形状となる。
【００２６】
ズームユニット１１０は、撮影者からの画角を変更するための入力を受け付ける為のスライド式のスイッチであり、ビデオカメラ１００の上面後ろ側に配置されている。トリガーユニット１１１は、撮影者からの記録開始や記録停止の入力を受け付けるための押し込み式のスイッチであり、ビデオカメラ１００の背面右側に配置されている。
【００２７】
＜放熱構造説明＞
次に、図３を用いてビデオカメラ１００の放熱構造の説明を行う。
【００２８】
図３はビデオカメラ１００の放熱構造する図であり、図３（ａ）は、各部の関係を示す上側から見た図である。図３（ｂ）は、前側の孔１１３Ａ部での放熱構造を示す断面図である。図３（ｃ）は、後側の孔１１３Ｂでの放熱構造を示す断面図である。
【００２９】
上側ユニット１０５は組立状態では、図３（ａ）に示すように、前後の孔１１３Ａ、１１３Ｂの回り３辺を取り囲む形でそれぞれ防熱壁１１５Ａ、１１５Ｂが設けられている。なおこの時、上側カバー１０８とデコレーションカバー１０９のカバー合わせ部（当接部）は図３（ｂ）及び図３（ｃ）に示すように互いに斜面で構成されており、斜面同士が向かい合う形となっている。そのため、空気がカバー合わせ部をスムーズに通過する事が出来る。また、カバー合わせ部が斜面で構成されているため、ユーザーがカバー合わせ部の隙間を覗き込んだとしても、斜め面が見えるため、隙間を小さく見せることができる。また、図３（ａ）に示すように、孔１１３Ａは放熱板１０２の上部に配置され、孔１１３Ｂは無線ユニット１０４の上部に配置されている。
【００３０】
まず、ビデオカメラ１００の前側放熱構造に関して図３（ｂ）を用いて説明する。
【００３１】
ビデオカメラ１００が動作中には、制御ＩＣ１０６で発生した熱は、弾性部材１０７を介して放熱板１０２に伝えられる。そのため、放熱板１０２の上側の空気は放熱板１０２によって熱せられ対流現象が発生する。そして、熱せられた空気は上側カバー１０８に設けられた孔１１３Ａを抜け、上側カバー１０８とデコレーションカバー１０９の間の空間へと上昇し、デコレーションカバー１０９の内側である天井面１１６Ａに当たる。
【００３２】
上側カバー１０８とデコレーションカバー１０９の間の空間において、防熱壁１１５Ａが孔１１３Ａの左右及び後ろを取り囲む形で配置されているため、熱せられた空気は防熱壁１１５Ａが無い前側部の放熱部１１７Ａから放出されていく。なお、天井面１１６Ａは前側に行くに従って高くなる形（機器外部に向かうよう）に傾斜している。そのため、熱せられた空気は天井面１１６に当たった後、傾斜に沿って効率的に放熱部１１７に導かれることとなる。
【００３３】
すなわち、熱い空気は図中Ａの矢印に沿って進み、デコレーションカバー１０９の先端部に設けられた放熱部１１７からビデオカメラ１００の外に放出されていく。なお、仮に放熱部１１７から図中Ｂの矢印の様に水滴や砂塵などの異物が上側カバー１０８とデコレーションカバー１０９の間の空間に侵入して来たとしても、リブ１１４Ａは凹面１１２よりも凸形状となっている。このため、水滴や砂塵などの異物はリブ１１４Ａで塞き止められ、ビデオカメラ１００内部へ侵入しにくい。よって本実施形態に係るビデオカメラは、異物の侵入に対して非常に高い信頼性を得ることが出来る。
【００３４】
次にビデオカメラ１００の後ろ側放熱構造に関して図３（ｃ）を用いて説明する。
【００３５】
無線ユニット１０４が動作中には、その発熱により周囲の空気が熱せられる。その後は熱せられた空気は前側と同様に上昇し、上側カバー１０８に設けられた孔１１３Ｂを抜け、天井面１１６Ｂに当たる。なお、天井面１１６Ｂは後ろ側に行くに従って高くなる形（機器外部に向かうよう）に傾斜している。
【００３６】
防熱壁１１５Ｂは孔１１３Ｂの左右及び前を取り囲む形で配置されているため、天井面１１６Ｂに沿う形で図中Ｃの矢印に沿って進み、デコレーションカバー１０９の後ろ端に設けられた放熱部１１７Ｂからビデオカメラ１００の外に放出されていく。また、異物の侵入に関しても前側と同様であり、図中Ｄの矢印の様に、水滴や砂塵などの異物が上側カバー１０８とデコレーションカバー１０９の間の空間に侵入しても、リブ１１４Ｂによって塞き止られる。
【００３７】
＜把持の説明＞
次に、図４を用いてビデオカメラ１００の把持について説明する。
【００３８】
図４はビデオカメラ１００の把持と放熱の関係を示す上側から見た図である。ビデオカメラ１００の把持姿勢は一般的に、ビデオカメラ１００の右側を撮影者が右手でビデオカメラ１００を把持して使用する。
【００３９】
すなわち、右手の手のひらをビデオカメラ１００の右側カバーに接触させ、ビデオカメラ１００を握り込む形となる。なおこの時、親指の先端をトリガーユニット１１１に置き、残りの４本の指を天面に回し把持する形となっている。その時、天面に回した４本の指の内、人差し指はズームユニット１１０の上に置き、残りの３本の指を上側カバー１０８とデコレーションカバー１０９の段差部に引っ掛ける姿勢となる。このような姿勢を採ることによって、ビデオカメラ１００を安定して片手で把持しながら画角の変更から記録の開始／停止操作といった一連の撮影動作を行う事が可能になる。
【００４０】
また、本実実施例の様にデコレーションカバー１０９を上側カバー１０８より凸形状とすることにより、把持部を限定することが可能となる。なお、放熱部１１７は、把持している手の前後となるように、デコレーションカバー１０９の前後に設けてある。そのため図４に示すように、熱い空気が把持している手に当たり不快感を与えるといったことが無い。
【００４１】
なお、本実施例においては放熱部１１７は把持している手の前後に設けたが、例えば把持している手の指のさらに先側に更なる放熱部を設けても良い。
【００４２】
その場合は、防熱壁１１５はビデオカメラ１００の左側を開放した構成となる。また、デコレーションカバー１０９の内側には防熱壁１１５が設けてあるため、把持時に強く握り込んだとしても変形に強い。
【００４３】
以上説明した本実施例に示す構成を取ることにより、撮影者に対して排熱時の不快感を与えず、かつ外部からの異物の侵入に対する信頼性を有する構造を持った電子機器を提供することが可能となる。
【００４４】
尚、機械的構成要素は前述の構成に限定されるものではない。本発明と同様の効果が得られるものであれば、どのような構成であっても適応されることは言うまでも無い。
【符号の説明】
【００４５】
１００  ビデオカメラ
１０１  撮像部
１０２  放熱板
１１５  防熱壁
１１６  天井面
１１７  放熱部
１１８  把持領域
【図１】
2014109663.tif 000003
【図２】
2014109663.tif 000004
【図３】
2014109663.tif 000005
【図４】
2014109663.tif 000006